(57)【要約】【課題】簡易な構成で、調理対象物に応じた適切な調理を速やかに行うことができ、食味や食感を向上させることができるとともに、歩留り向上や省エネルギーを発揮することができる過熱水蒸気と熱風を用いた調理装置及び調理方法を提供する。【解決手段】調理装置本体１１内は第１調理領域１２と第２調理領域１３に区分され、各調理領域１２，１３には過熱水蒸気供給機構３０と、熱風供給機構６０とが設けられている。また、調理装置本体１１には、調理対象物１４を第１調理領域１２から第２調理領域１３へ移動させる移動機構としてのコンベヤ１５が設けられている。前記過熱水蒸気供給機構３０は、過熱水蒸気生成部４８と過熱水蒸気供給部としての供給管５４とにより構成されている。熱風供給機構６０は、熱風生成部６３と熱風供給部としての供給管５４とにより構成されている。【選択図】図１
2014204841.tif 000002
【特許請求の範囲】
【請求項１】
調理装置本体内は複数の調理領域に区分され、各調理領域には過熱水蒸気供給機構と、熱風供給機構とを備えるとともに、調理対象物を前記複数の調理領域に供給する移動機構を備え、過熱水蒸気供給機構から供給される過熱水蒸気と熱風供給機構から供給される熱風とをいずれかの調理領域で調理対象物に供給可能に構成したことを特徴とする過熱水蒸気と熱風を用いた調理装置。
【請求項２】
前記過熱水蒸気供給機構は、過熱水蒸気生成部と過熱水蒸気供給部とにより構成され、熱風供給機構は、熱風生成部と熱風供給部とにより構成されていることを特徴とする請求項１に記載の過熱水蒸気と熱風を用いた調理装置。
【請求項３】
前記過熱水蒸気生成部及び熱風生成部は、共用の生成管内に電気ヒータを配設するとともに、該生成管内に飽和水蒸気及び空気が導入可能に構成されていることを特徴とする請求項２に記載の過熱水蒸気と熱風を用いた調理装置。
【請求項４】
前記過熱水蒸気供給部及び熱風供給部は、蛇行配置されている共用の供給管とその供給管に設けられた供給孔とにより構成されていることを特徴とする請求項２又は請求項３に記載の過熱水蒸気と熱風を用いた調理装置。
【請求項５】
前記過熱水蒸気供給機構と熱風供給機構とは、各調理領域において切替え可能に構成されていることを特徴とする請求項１から請求項４のいずれか一項に記載の過熱水蒸気と熱風を用いた調理装置。
【請求項６】
前記移動機構は、調理対象物を載せて前記複数の調理領域に搬送し、かつ上下動可能に構成されたコンベヤであることを特徴とする請求項１から請求項５のいずれか一項に記載の過熱水蒸気と熱風を用いた調理装置。
【請求項７】
前記各調理領域において、過熱水蒸気供給部と熱風供給部とはそれぞれコンベヤの上方位置及び下方位置に設けられていることを特徴とする請求項６に記載の過熱水蒸気と熱風を用いた調理装置。
【請求項８】
請求項１から請求項７のいずれか一項に記載の過熱水蒸気と熱風を用いた調理装置による調理方法であって、
前記調理対象物を移動機構により複数の調理領域に供給し、過熱水蒸気供給機構から供給される過熱水蒸気と、熱風供給機構から供給される熱風とをいずれかの調理領域で調理対象物に供給して調理を行うことを特徴とする過熱水蒸気と熱風を用いた調理方法。
【発明の詳細な説明】
【技術分野】
【０００１】
本発明は、例えばレストランや食品工場において、肉類、魚類、野菜類、穀物等の調理対象物を速やかに調理することができ、美味しく、ヘルシーな料理に仕上げることができる過熱水蒸気と熱風を用いた調理装置及び調理方法に関する。
【背景技術】
【０００２】
過熱水蒸気を調理対象物に吹き付けて加熱調理することにより、従来の熱風による加熱調理に比べて調理時間を短縮することができるとともに、食味を向上させることができる。過熱水蒸気を用いて調理を行う場合には、過熱水蒸気に空気を混合したり、熱水を混合したりして、過熱水蒸気を有効に利用することが知られている。
【０００３】
この種の過熱水蒸気を用いた装置として、特許文献１には野菜乾燥装置が開示されている。この野菜乾燥装置は、乾燥容器と、乾燥容器内で鉛直軸回りに回転する野菜載置部と、該野菜載置部に過熱水蒸気を供給する過熱水蒸気供給部と、前記野菜載置部に熱風を供給する熱風供給部と、排気部とを具備している。そして、回転する野菜載置部に対して過熱水蒸気と熱風とを供給し、１つの乾燥容器内において野菜の均一な乾燥を行うことができるように構成されている。
【先行技術文献】
【特許文献】
【０００４】
【特許文献１】特開２０１０−８８３９０号公報
【発明の概要】
【発明が解決しようとする課題】
【０００５】
前述した特許文献１に記載されている従来構成の野菜乾燥装置においては、過熱水蒸気と熱風の双方を野菜載置部の野菜に供給し、均一かつ効率良く野菜を乾燥することができる。しかしながら、この野菜乾燥装置では、１つの乾燥容器内で野菜の乾燥が行われるとともに、過熱水蒸気と熱風とを併用して野菜の乾燥が行われることから、肉、魚、野菜、穀物等の調理対象物を適宜組合せて種々の調理を行うには適していない。
【０００６】
すなわち、目的とする調理を行うためには、調理対象物を選定し、組合せ、加熱温度、加熱時間、湿度、乾燥時間等の条件を料理の種類に応じて設定しなければならない。前記の野菜乾燥装置は野菜の乾燥のみを目的としていることから、このような多岐にわたる条件に対応して調理対象物の調理を行うことは困難であった。加えて、特許文献１には、野菜等の調理装置や調理方法に関しては何ら示唆されていない。
【０００７】
そこで、本発明の目的とするところは、簡易な構成で、調理対象物に応じた適切な調理を速やかに行うことができ、食味や食感を向上させることができるとともに、歩留り向上や省エネルギーを発揮することができる過熱水蒸気と熱風を用いた調理装置及び調理方法を提供することにある。
【課題を解決するための手段】
【０００８】
上記の目的を達成するために、請求項１に記載の発明の過熱水蒸気と熱風を用いた調理装置は、調理装置本体内は複数の調理領域に区分され、各調理領域には過熱水蒸気供給機構と、熱風供給機構とを備えるとともに、調理対象物を前記複数の調理領域に供給する移動機構を備え、過熱水蒸気供給機構から供給される過熱水蒸気と熱風供給機構から供給される熱風とをいずれかの調理領域で調理対象物に供給可能に構成したことを特徴とする。
【０００９】
請求項２に記載の発明の過熱水蒸気と熱風を用いた調理装置は、請求項１に係る発明において、前記過熱水蒸気供給機構は、過熱水蒸気生成部と過熱水蒸気供給部とにより構成され、熱風供給機構は、熱風生成部と熱風供給部とにより構成されていることを特徴とする。
【００１０】
請求項３に記載の発明の過熱水蒸気と熱風を用いた調理装置は、請求項２に係る発明において、前記過熱水蒸気生成部及び熱風生成部は、共用の生成管内に電気ヒータを配設するとともに、該生成管内に飽和水蒸気及び空気が導入可能に構成されていることを特徴とする。
【００１１】
請求項４に記載の発明の過熱水蒸気と熱風を用いた調理装置は、請求項２又は請求項３に係る発明において、前記過熱水蒸気供給部及び熱風供給部は、蛇行配置されている共用の供給管とその供給管に設けられた供給孔とにより構成されていることを特徴とする。
【００１２】
請求項５に記載の発明の過熱水蒸気と熱風を用いた調理装置は、請求項１から請求項４のいずれか一項に係る発明において、前記過熱水蒸気供給機構と熱風供給機構とは、各調理領域において切替え可能に構成されていることを特徴とする。
【００１３】
請求項６に記載の発明の過熱水蒸気と熱風を用いた調理装置は、請求項１から請求項５のいずれか一項に係る発明において、前記移動機構は、調理対象物を載せて前記複数の調理領域に搬送し、かつ上下動可能に構成されたコンベヤであることを特徴とする。
【００１４】
請求項７に記載の発明の過熱水蒸気と熱風を用いた調理装置は、請求項６に係る発明において、前記各調理領域において、過熱水蒸気供給部と熱風供給部とはそれぞれコンベヤの上方位置及び下方位置に設けられていることを特徴とする。
【００１５】
請求項８に記載の発明の過熱水蒸気と熱風を用いた調理方法は、請求項１から請求項７のいずれか一項に記載の過熱水蒸気と熱風を用いた調理装置による調理方法であって、前記調理対象物を移動機構により複数の調理領域に供給し、過熱水蒸気供給機構から供給される過熱水蒸気と、熱風供給機構から供給される熱風とをいずれかの調理領域で調理対象物に供給して調理を行うことを特徴とする。
【発明の効果】
【００１６】
本発明によれば、次のような効果を発揮することができる。
本発明の過熱水蒸気と熱風を用いた調理装置は、調理装置本体内が複数の調理領域に区分され、各調理領域には過熱水蒸気供給機構と熱風供給機構とが設けられるとともに、調理対象物を前記複数の調理領域に供給する移動機構が設けられている。そして、過熱水蒸気供給機構から供給される過熱水蒸気と熱風供給機構から供給される熱風とがいずれかの調理領域で調理対象物に供給可能に構成されている。
【００１７】
このため、調理対象物は調理装置本体内のいずれかの調理領域において過熱水蒸気が供給されて調理対象物が加熱と水蒸気により調理され、かつ他の調理領域において熱風が供給されて加熱と水分除去により調理が進められる。従って、過熱水蒸気による作用と熱風による作用とを併用して調理を進めることができ、調理対象物に適切に対応して調理を進めることができ、目的とする料理を速やかに完成させることができる。
【００１８】
よって、本発明の過熱水蒸気と熱風を用いた調理装置によれば、簡易な構成で、調理対象物に応じた適切な調理を速やかに行うことができ、食味や食感を向上させることができるとともに、歩留り向上や省エネルギーを発揮することができるという効果を奏する。
【図面の簡単な説明】
【００１９】
【図１】本発明を具体化した実施形態の過熱水蒸気と熱風を用いた調理装置の全体を示す概略説明図。
【図２】過熱水蒸気と熱風を用いた調理装置の外観を示す図であって、（ａ）は調理装置の平面図、（ｂ）は調理装置の正面図及び（ｃ）は調理装置を示す側面図。
【図３】コンベヤの昇降装置を示す図であって、（ａ）は昇降装置が低い位置にある状態の斜視図、（ｂ）は昇降装置が高い位置にある状態の斜視図。
【図４】昇降装置のハンドル軸と連結軸との連結構造を示す説明図。
【図５】昇降台が昇降機構によって低い位置と高い位置とをとる状態を示す正面図。
【図６】過熱水蒸気又は熱風の供給管を示す図であって、（ａ）は上部位置の供給管を示す断面図、（ｂ）は下部位置の供給管を示す断面図。
【発明を実施するための形態】
【００２０】
以下、本発明の実施形態を図１〜図６に基づいて詳細に説明する。
図２（ａ）〜（ｃ）に示すように、過熱水蒸気と熱風を用いた調理装置１０は矩形箱状に形成され、その調理装置本体１１は２つの均等な第１調理領域１２と第２調理領域１３とに区分されている。調理装置本体１１内には、調理対象物１４を載せ、その調理対象物１４が２つの調理領域１２，１３を図２（ａ），（ｂ）の左から右へ移動できるようにする移動機構としてのコンベヤ１５が配設されている。このコンベヤ１５は金属製の金網状のもので、昇降機構により上下動可能に構成されている。
【００２１】
図３（ａ）に示すように、コンベヤ１５の昇降機構１６について説明すると、昇降機構１６を構成する各一対の昇降枠１７は、それぞれ２枚の対向する連結板１８と両端部の連結軸１９とにより細長四角枠状に形成され、各昇降枠１７の中央部が１本の回動軸２０で連結されている。図３（ａ）の二点鎖線に示すように、一方の昇降枠１７の上側端部の連結軸１９と他方の昇降枠１７の上側端部の連結軸１９とを覆うように昇降体２１が設けられるとともに、一方の昇降枠１７の下側端部の連結軸１９と他方の昇降枠１７の下側端部の連結軸１９とを覆うように基体２２が設けられている。
【００２２】
図３（ａ）及び図４に示すように、前記基体２２の一端部の連結軸１９には、雌ねじ部材２３が固着され、その雌ねじ部材２３の雌ねじ孔２３ａの方向が連結軸１９と直交するように形成されている。該雌ねじ部材２３の雌ねじ孔２３ａには外周に雄ねじ２４ａを有するハンドル軸２４が螺合され、そのハンドル軸２４の外端部にはハンドル２５が設けられている。なお、図３（ａ），（ｂ）には雌ねじ部材２３は省略されている。
【００２３】
そして、図３（ｂ）に示すように、ハンドル２５を回転させると、ハンドル軸２４の雄ねじ２４ａが雌ねじ部材２３の雌ねじ孔２３ａの雌ねじに対して螺進し、ハンドル軸２４方向における連結軸１９と回動軸２０との距離が短くなって昇降体２１が基体２２に対して上昇するように構成されている。
【００２４】
図５に示すように、前述した昇降機構１６が前記調理装置本体１１の左右位置に一対配設され、両昇降機構１６の昇降体２１に掛け渡すように昇降台２６が載置されている。そして、図５の二点鎖線に示すように、両昇降機構１６の昇降体２１が上昇することにより昇降台２６が上昇するようになっている。この昇降台２６上には、図示しない前記コンベヤ１５が支持され、そのコンベヤ１５が上下動可能になっている。
【００２５】
図２（ａ）〜（ｃ）に示すように、前記各調理領域１２，１３の前面には各々開閉扉２７が設けられ、開閉扉２７を開けることにより、コンベヤ１５上の調理対象物１４の調理状況を確認したり、取り出したりできるようになっている。調理装置本体１１の上壁には、過熱水蒸気や熱風を一部排気する排気口２８が開閉可能に設けられている。
【００２６】
図１に示すように、前記各調理領域１２，１３には過熱水蒸気供給機構３０と、熱風供給機構６０とがそれぞれ設けられるが、各調理領域１２，１３における過熱水蒸気供給機構３０と熱風供給機構６０とは同じ構造であるため、図１では第１調理領域１２における過熱水蒸気供給機構３０及び熱風供給機構６０を示す。この実施形態では、過熱水蒸気供給機構３０と熱風供給機構６０とが兼用されている。そして、過熱水蒸気供給機構３０から供給される過熱水蒸気と熱風供給機構６０から供給される熱風とを第１調理領域１２又は第２調理領域１３で調理対象物１４に供給可能に構成されている。
【００２７】
飽和水蒸気を導入する水蒸気導入管３１は手動弁３２を介してセパレータ３３に接続され、セパレータ３３内で分離された排ドレンはセパレータ３３下部の排出管３４からトラップ３５及び逆止弁３６を介して排出されるようになっている。セパレータ３３の上部には水蒸気配管３７が接続され、該水蒸気配管３７は減圧弁３８及び圧力計３９を介して２つの直列接続された水蒸気ヘッダー４０に接続されている。前記過熱水蒸気供給機構３０及び熱風供給機構６０は、過熱水蒸気供給機構３０から供給される過熱水蒸気と熱風供給機構６０から供給される熱風がコンベヤ１５の上方位置と下方位置とから同じように供給可能に構成されているため、上方位置から供給される構造について主に説明する。
【００２８】
前記水蒸気ヘッダー４０内では、水蒸気配管３７に４つの分岐管４１すなわち第１分岐管４１ａ、第２分岐管４１ｂ、第３分岐管４１ｃ及び第４分岐管４１ｄが接続されている。第１分岐管４１ａは飽和水蒸気の流量が大きく設定された第１電磁弁４３ａ及び絞り弁４４を介してスケールフィルタ４５の入口部に接続されている。第２分岐管４１ｂは飽和水蒸気の流量が中程度に設定された第２電磁弁４３ｂ及び絞り弁４４を介してスケールフィルタ４５の入口部に接続されている。第３分岐管４１ｃは飽和水蒸気の流量が小さく設定された第３電磁弁４３ｃ及び絞り弁４４を介してスケールフィルタ４５の入口部に接続されている。第４分岐管４１ｄは第４電磁弁４３ｄを介してバイパス管４６に接続されている。なお、２つの水蒸気ヘッダー４０を通った水蒸気配管３７にはトラップ３５及び逆止弁３６が接続され、排ドレンが排出されるようになっている。
【００２９】
前記スケールフィルタ４５の出口部は、接続管４７を介して過熱水蒸気生成部４８に接続されている。前記接続管４７には、空気導入管６１が調整弁６２を介して接続されている。前記過熱水蒸気生成部４８は、蛇行配置された生成管４９により構成され、該生成管４９内には電気ヒータ５０が生成管４９内のほぼ全長に亘って配置されている。この生成管４９は、過熱水蒸気と熱風を生成する共用の配管である。そして、接続管４７から過熱水蒸気生成部４８に導入された飽和水蒸気が電気ヒータ５０で加熱されて１２０〜４００℃の過熱水蒸気が生成されるようになっている。
【００３０】
この過熱水蒸気生成部４８は、前記第１〜第３電磁弁４３ａ〜４３ｃを閉じて空気導入管６１から空気のみを導入するように切り替えることにより、導入された空気が電気ヒータ５０で加熱されて１２０〜４００℃の熱風が生成されるため、熱風生成部６３としても機能する。また、第１〜第３電磁弁４３ａ〜４３ｃを開けるとともに、調整弁６２を開けて、供給管５４から過熱水蒸気と熱風との混合流体を調理対象物１４に供給することも可能である。この場合、混合流体を形成する過熱水蒸気と熱風の混合割合を変えることにより、得られる食品の香り、食味及び食感を調節することができる。
【００３１】
前記過熱水蒸気生成部４８の出口部には温度センサ５１が設けられ、生成した過熱水蒸気や熱風の温度を検出できるようになっている。過熱水蒸気生成部４８の出口には連結管５２の一端が接続され、その連結管５２の他端は絞り弁５３を介して過熱水蒸気供給部を構成する蛇行形成された２組の供給管５４に接続されている。すなわち、前記連結管５２は３つの分流管５５に分岐され、前記２組の供給管５４の入口部及び出口部にそれぞれ接続されている。該供給管５４は熱風供給部としても機能し、過熱水蒸気と熱風を供給する共用の配管である。これらの供給管５４は、前記コンベヤ１５の上方位置及び下方位置にそれぞれ対向して配設されている。
【００３２】
図６（ａ）に示すように、前記上方位置の供給管５４の底部には多数の供給孔５４ａが一定間隔をおいて開口され、過熱水蒸気又は熱風を下方へ向けて噴出するようになっている。また、図６（ｂ）に示すように、下方位置の供給管５４の頂部には多数の供給孔５４ａが一定間隔をおいて開口され、過熱水蒸気又は熱風を上方へ向けて噴出するようになっている。
【００３３】
図１に示すように、前記コンベヤ１５の上方位置に配設された供給管５４の下方近傍位置及びコンベヤ１５の下方位置に配設された供給管５４の上方近傍位置には、シーズヒータ５６がそれぞれ供給管５４に対応するように蛇行して配置されている。そして、供給管５４の供給孔５４ａから噴出される過熱水蒸気や熱風を加熱してそれらの状態を保持できるように構成されている。なお、前記供給管５４には温度検出器５７が設けられ、調理対象物１４に供給される過熱水蒸気や熱風の温度を検出できるようになっている。
【００３４】
前述のように、過熱水蒸気供給機構３０と熱風供給機構６０とは、コンベヤ１５の上方及び下方から過熱水蒸気又は熱風を調理対象物１４に対し、独立して供給できるように構成されている。このため、第１〜第３電磁弁４３ａ〜４３ｃを選択して飽和水蒸気の流量を調節することにより上下位置の供給管５４から供給される過熱水蒸気量を変更することができるとともに、電気ヒータ５０による加熱量を調整することにより上下位置の供給管５４から供給される過熱水蒸気の温度を変更することができる。さらに、調整弁６２の開度を調節することにより上下位置の供給管５４から供給される熱風の流量を変更することができるとともに、電気ヒータ５０の加熱量を調節することにより上下位置の供給管５４から供給される熱風の温度を変更することができる。
【００３５】
また、前記コンベヤ１５は、昇降機構により上下動可能に構成されていることから、コンベヤ１５上の調理対象物１４と供給管５４の供給孔５４ａとの間隔を調整することができる。従って、調理対象物１４の種類、大きさ等に応じ、調理対象物１４に対する過熱水蒸気や熱風の供給量を維持することができ、調理対象物１４として例えばパンのような薄い食材に対しても適切に対処することができる。
【００３６】
次に、前記のように構成された調理装置１０を用いた調理方法を作用とともに説明する。
さて、調理対象物１４として肉、魚、卵、野菜等を用いて調理を行う場合には、例えば空気導入管６１の調整弁６２を閉じ、第１調理領域１２において上下位置の供給管５４の供給孔５４ａから過熱水蒸気を噴射できるように設定する。さらに、第１〜第４電磁弁４３ａ〜４３ｄを閉じ、第２調理領域１３において上下位置の供給管５４の供給孔５４ａから熱風を噴出できるように設定する。その状態で、コンベヤ１５上に調理対象物１４を載せ、コンベヤ１５を駆動すると、調理対象物１４は調理装置本体１１内の第１調理領域１２に到る。
【００３７】
この第１調理領域１２においては、上下位置の供給管５４の供給孔５４ａから過熱水蒸気が噴射され、調理対象物１４に吹き付けられる。このとき、低温の調理対象物１４に過熱水蒸気が接触し、過熱水蒸気は大きな凝縮潜熱を放出しながら調理対象物１４表面で凝縮することから、調理対象物１４に潜熱を均一かつ迅速に伝えることができ、調理対象物１４は急速に加熱される。さらに、過熱水蒸気の噴射により遠赤外線が発生して調理対象物１４が加熱され、上記の作用が助長される。
【００３８】
このため、調理対象物１４の肉、魚、卵、野菜等は瞬時に高温に達すると同時に、過熱水蒸気の水分により、肉汁等のうまみ成分が閉じ込められ、例えばハンバーグではジューシーでふっくらした美味しさに仕上がるとともに、魚、にんじん等の特有の臭いが抑制される。さらに、過熱水蒸気を噴射することにより、酸素が排除されて低酸素状態での加熱調理となるため、調理対象物１４の酸化を抑えることができ、食味の経時劣化を抑制することができる。加えて、過熱水蒸気により食品中の水分、油分等の目減りを抑えることができ、原材料の使用量を抑制することができ、歩留り改善に寄与することができる。
【００３９】
続いて、コンベヤ１５の駆動によりコンベヤ１５上の調理対象物１４は移動して第２調理領域１３に到る。この第２調理領域１３においては、上下位置の供給管５４の供給孔５４ａから熱風が噴出され、調理対象物１４に吹き付けられる。このとき、過熱水蒸気で処理された調理対象物１４に付着した水分が、高温の熱風により蒸発して取り除かれ、調理対象物１４は表面からさらに高温に上昇する。従って、調理対象物１４の表面はぱりっと仕上がる一方、内部はふんわりした状態が維持される。
【００４０】
このように、調理対象物１４を過熱水蒸気に晒した後、熱風を当てることにより、水分の存在下に急速加熱できるとともに、調理対象物１４の表面の水分量を低減させることができる。従って、所望とする美味しい料理を短時間で得ることができる。
【００４１】
以上の実施形態により発揮される効果を以下にまとめて記載する。
（１）この実施形態の調理装置１０は、調理装置本体１１内が２つの調理領域１２，１３に区分され、各調理領域１２，１３には過熱水蒸気供給機構３０と熱風供給機構６０とが設けられるとともに、調理対象物１４を２つの調理領域１２，１３に供給するコンベヤ１５が設けられている。そして、過熱水蒸気供給機構３０から供給される過熱水蒸気と熱風供給機構６０から供給される熱風とがいずれかの調理領域１２，１３で調理対象物１４に供給可能に構成されている。
【００４２】
このため、調理対象物１４は第１調理領域１２において過熱水蒸気が供給されて調理対象物１４が加熱と水蒸気により調理され、かつ第２調理領域１３において熱風が供給されて加熱と水分除去により調理が進められる。従って、過熱水蒸気による作用と熱風による作用とを併用して調理を進めることができ、調理対象物１４に適切に対応して調理を進めることができ、香り、食味及び食感の優れた料理を速やかに完成させることができる。さらに、調理対象物１４の加熱時間を熱風のみの場合に比べて短縮することができ、調理時間の短縮とエネルギーの節約を図ることができる。
【００４３】
よって、本実施形態の調理装置１０によれば、簡易な構成で、調理対象物１４に応じた適切な調理を速やかに行うことができ、食味や食感を向上させることができるとともに、歩留り向上や省エネルギーを発揮することができるという優れた効果を奏する。
（２）前記過熱水蒸気供給機構３０は、過熱水蒸気生成部４８と過熱水蒸気供給部としての供給管５４とにより構成され、熱風供給機構６０は、熱風生成部６３と熱風供給部としての供給管５４とにより構成されている。このため、過熱水蒸気生成部４８で所望条件（温度、流量）の過熱水蒸気を得て供給管５４から調理対象物１４に過熱水蒸気を供給できるとともに、熱風生成部６３で所望条件（温度、流量）の熱風を得て供給管５４から調理対象物１４に熱風を供給することができる。
（３）前記過熱水蒸気生成部４８及び熱風生成部６３は、共用の生成管４９内に電気ヒータ５０を配設するとともに、該生成管４９内に飽和水蒸気又は空気を導入可能に構成されている。従って、過熱水蒸気生成部４８及び熱風生成部６３の構成を簡易にでき、生成管４９内に飽和水蒸気又は空気を導入することにより、飽和水蒸気が加熱されて過熱水蒸気を容易に生成できるとともに、空気が加熱されて熱風を容易に生成することができる。
（４）前記過熱水蒸気供給部及び熱風供給部を構成する共用の供給管５４は、調理装置本体１１内で蛇行配置され、その供給管５４には複数の供給孔５４ａが設けられている。そのため、過熱水蒸気供給部及び熱風供給部の構成を簡易にできるとともに、過熱水蒸気や熱風を調理装置本体１１内の調理対象物１４に対して均一に供給することが可能である。
（５）前記過熱水蒸気供給機構３０と熱風供給機構６０とは、各調理領域１２，１３において切替え可能に構成されている。このため、調理対象物１４、料理の種類等に応じて、過熱水蒸気と熱風の供給態様を容易に変更して調理を行うことができる。
（６）前記移動機構は、調理対象物１４を載せて２つの調理領域１２，１３に搬送し、かつ上下動可能に構成されたコンベヤ１５である。従って、調理対象物１４を２つの調理領域１２，１３に容易かつ連続的に搬送することができるとともに、調理対象物１４に対する過熱水蒸気や熱風の吹き付け位置を容易に調整することができる。
（７）前記各調理領域１２，１３において、供給管５４はそれぞれコンベヤ１５の上方位置及び下方位置に設けられている。このため、調理対象物１４に対して過熱水蒸気及び熱風を上下両面から吹き付けることができ、調理対象物１４を反転させることなく、迅速かつ効率良く調理を行うことができる。
（８）前記調理装置１０による調理方法は、調理対象物１４をコンベヤ１５により２つの調理領域１２，１３に供給し、過熱水蒸気供給機構としての供給管５４から供給される過熱水蒸気と、熱風供給機構としての供給管５４から供給される熱風とをいずれかの調理領域１２，１３で調理対象物１４に供給して調理を行うものである。従って、過熱水蒸気と熱風とを組合せることにより、調理対象物１４に応じた適切な調理を速やかに実施することができる上に、歩留り向上や省エネルギーを果たすことができる。
【００４４】
なお、前記実施形態を次のように変更して具体化することも可能である。
・  前記実施形態では調理装置本体１１に第１調理領域１２と第２調理領域１３との２つの調理領域を設けたが、調理対象物１４の種類等に応じて、３つ以上の調理領域を設けてもよい。この場合、各調理領域では、過熱水蒸気、熱風及び過熱水蒸気と熱風の混合流体を適宜選択して供給することができる。
【００４５】
・  前記第１〜第３電磁弁４３ａ〜４３ｃを１つにし、流量調整弁（流量制御弁）を接続して、飽和水蒸気の流量を調整できるように構成してもよい。
・  前記第４分岐管４１ｄ、第４電磁弁４３ｄ及びバイパス管４６を省略してもよい。
【００４６】
・  前記コンベヤ１５の上方位置の供給管５４から供給される過熱水蒸気又は熱風の条件と、コンベヤ１５の下方位置の供給管５４から供給される過熱水蒸気又は熱風の条件とを、調理対象物１４に応じて適宜変更してもよい。
【００４７】
・  前記コンベヤ１５の上方位置の供給管５４のみから過熱水蒸気又は熱風を調理対象物１４に供給したり、コンベヤ１５の下方位置の供給管５４のみから調理対象物１４に過熱水蒸気又は熱風を供給したりしてもよい。
【００４８】
・  前記生成管４９及び供給管５４の少なくとも一方を二重管にするなどして、過熱水蒸気供給機構３０と熱風供給機構６０の少なくとも一部を分離して構成することも可能である。
【００４９】
・  前記移動機構を構成するコンベヤ１５に代えて、調理対象物１４を目視しながら手動で調理対象物１４を第１調理領域１２から第２調理領域１３へ移動するように構成してもよい。
【００５０】
・  前記開閉扉２７には透明窓を設け、内部を視認できるように構成してもよい。
【符号の説明】
【００５１】
１０…調理装置、１１…調理装置本体、１２…第１調理領域、１３…第２調理領域、１４…調理対象物、１５…移動機構としてのコンベヤ、３０…過熱水蒸気供給機構、４８…過熱水蒸気生成部、４９…生成管、５０…電気ヒータ、５４…過熱水蒸気供給部及び熱風供給部としての供給管、５４ａ…供給孔、６０…熱風供給機構、６３…熱風生成部。
【図１】
2014204841.tif 000003
【図２】
2014204841.tif 000004
【図３】
2014204841.tif 000005
【図４】
2014204841.tif 000006
【図５】
2014204841.tif 000007
【図６】
2014204841.tif 000008